(57)【特許請求の範囲】
【請求項１】
スピーカー本体を支持するスピーカー支持装置であって、
前記スピーカー本体を移動可能に支持する移動手段と、
前記移動手段が搭載される台板とを備え、
前記台板は、互いに交差する２方向に前記移動手段を案内する第１のガイド部および第２のガイド部を備え、
前記移動手段は、キャスターを備えており、
前記第１のガイド部および第２のガイド部は、前記台板の上面に形成され前記キャスターを収容する溝部を備えるスピーカー支持装置。
【請求項２】
前記台板は、複数が前記第１のガイド部または第２のガイド部に沿って着脱可能に連結される請求項１に記載のスピーカー支持装置。
【請求項３】
前記台板は、防振性を有する請求項１または２に記載のスピーカー支持装置。
【請求項４】
スピーカー本体と、
前記スピーカー本体を移動可能に支持する移動手段と、
前記移動手段が搭載される台板とを備え、
前記台板は、互いに交差する２方向に前記移動手段を案内する第１のガイド部および第２のガイド部を備え、
前記移動手段は、キャスターを備えており、
前記第１のガイド部および第２のガイド部は、前記台板の上面に形成され前記キャスターを収容する溝部を備えるスピーカー装置。
【発明の詳細な説明】
【技術分野】
【０００１】
本発明は、スピーカー支持装置およびスピーカー装置に関し、特に室内で使用するのに好適なスピーカー支持装置およびスピーカー装置に関する。
【背景技術】
【０００２】
オーディオ機器による音響再生において、複数のスピーカーを床面上に設置する際に、それぞれの位置を左右方向および前後方向にずらすことで、音の奥行き感や拡がり等を生じさせることが行われている。床面に設置されるスピーカー装置には高重量のものも多いことから、設置作業を容易にする方法が従来から検討されている。例えば、特許文献１には、スピーカーをリフターの上に搭載してリフターと共に上昇させ、スピーカーと床面との間にインシュレータを介在させた後にリフターを降下させるオーディオ機器の設置方法が開示されている。
【先行技術文献】
【特許文献】
【０００３】
【特許文献１】特開２０１２−１４４３６２号公報
【発明の概要】
【発明が解決しようとする課題】
【０００４】
ところが、上記従来のスピーカーの設置方法は、リフターに対するスピーカーの上げ下ろしが新たに必要になるため、作業が依然として煩雑になるおそれがあった。また、リフターが任意の位置に移動することから、スピーカーの位置合わせを正確に行うことが困難であり、このためにスピーカーの設置位置の微調整を行う場合には、上記の煩雑な動作を繰り返す必要があるという問題があった。
【０００５】
そこで、本発明は、所望の位置へのスピーカー本体の設置を迅速容易に行うことができるスピーカー支持装置およびスピーカー装置の提供を目的とする。
【課題を解決するための手段】
【０００６】
本発明の前記目的は、スピーカー本体を支持するスピーカー支持装置であって、前記スピーカー本体を移動可能に支持する移動手段と、前記移動手段が搭載される台板とを備え、  前記台板は、互いに交差する２方向に前記移動手段を案内する第１のガイド部および第２のガイド部を備え、前記移動手段は、キャスターを備えており、前記第１のガイド部および第２のガイド部は、前記台板の上面に形成され前記キャスターを収容する溝部を備えるスピーカー支持装置により達成される。
【０００７】
このスピーカー支持装置において、前記台板は、複数が前記第１のガイド部または第２のガイド部に沿って着脱可能に連結されることが好ましい。
【０００８】
前記台板は、防振性を有することが好ましい。
【００１０】
また、本発明の前記目的は、スピーカー本体と、前記スピーカー本体を移動可能に支持する移動手段と、前記移動手段が搭載される台板とを備え、前記台板は、互いに交差する２方向に前記移動手段を案内する第１のガイド部および第２のガイド部を備え、前記移動手段は、キャスターを備えており、前記第１のガイド部および第２のガイド部は、前記台板の上面に形成され前記キャスターを収容する溝部を備えるスピーカー装置により達成される。
【発明の効果】
【００１１】
本発明によれば、所望の位置へのスピーカー本体の設置を迅速容易に行うことができるスピーカー支持装置およびスピーカー装置を提供することができる。
【図面の簡単な説明】
【００１２】
【図１】本発明の一実施形態に係るスピーカー支持装置の概略平面図である。
【図２】図１に示すスピーカー支持装置の要部を示す分解平面図である。
【図３】図１に示すスピーカー支持装置の要部断面図である。
【図４】図１に示すスピーカー支持装置の要部正面図である。
【図５】本発明の他の実施形態に係るスピーカー支持装置の要部正面図である。
【発明を実施するための形態】
【００１３】
以下、本発明の実施の形態について、添付図面を参照して説明する。図１は、本発明の一実施形態に係るスピーカー支持装置の概略平面図である。図１に示すスピーカー支持装置１は、室内の左右に配置されるリアスピーカー５０，５０と、聴取者が座る椅子５２との間で、左右のフロントスピーカー１０，１０を移動可能に支持するように配置されている。フロントスピーカー１０，１０およびリアスピーカー５０，５０は、オーディオ信号を出力するソース機器（図示せず）に接続されている。
【００１４】
スピーカー支持装置１は、フロントスピーカー１０を支持する移動体２０と、移動体２０が搭載される矩形状の台板３０とを備えている。台板３０の上面には、移動体２０の移動方向を案内する第１のガイド部３１および第２のガイド部３２が形成されている。第１のガイド部３１および第２のガイド部３２は、それぞれ一対の溝部３１ａ，３１ｂ；３２ａ，３２ｂから構成されており、互いに直交するように配置されている。フロントスピーカー１０は、本発明におけるスピーカー本体となるものであり、スピーカー支持装置１と一体となってスピーカー装置を構成する。
【００１５】
台板３０は、例えば硬質プラスチックからなり、複数が床面に沿って前後方向および左右方向に連結されることで、移動体２０の搬送路が定められている。図２および図３に示すように、隣接する台板３０，３０同士は、連結具４０によって連結される。連結具４０は、長手方向の両端に可撓性を有する係止片４２，４２を備えており、各台板３０に形成された収容部３４に連結具４０の両端部をそれぞれ挿入し、係止片４２の撓みを利用して収容部３４内の係合部３６に係止片４２の先端部を係合させることにより、台板３０，３０同士を連結することができる。台板３０，３０の連結を解除する際には、台板３０の上面に形成された貫通孔３５を介して工具等を挿入することにより、係止片４２を押圧して係合部３６から脱離させることができ、連結具４０を台板３０から取り外すことができる。連結具４０の構成は特に限定されるものではなく、例えば、コイルばね等の弾性体により付勢可能な金属球を台板に形成した孔部に係合可能な構成など、台板同士を確実に連結しつつ着脱が容易な種々の構成であってもよい。
【００１６】
図４に示すように、移動体２０は、フロントスピーカー１０が搭載される支持板２１の下面に複数のキャスター２２を備えて構成されている。キャスター２２は、台板３０に形成された第２のガイド部３２の各溝部３２ａ，３２ｂにそれぞれ収容されており、第２のガイド部３２に沿って移動させて、不図示のロック機構により任意の位置で固定することができる。キャスター２２は、旋回可能な自在キャスターであることが好ましく、図１に示す第１のガイド部３１と第２のガイド部３２との交差部で方向を変えて、第１のガイド部３１に沿って移動させることができる。第１のガイド部３１および第２のガイド部３２は、本実施形態ではそれぞれ２つの溝部から構成されているが、単一の溝部であってもよく、その数は特に限定されるものではない。
【００１７】
上記の構成を備えるスピーカー支持装置１は、左右のフロントスピーカー１０，１０を、台板３０の第１のガイド部３１または第２のガイド部３２に沿って個々に移動させることにより、リアスピーカー５０，５０に対するフロントスピーカー１０，１０の相対的な配置を容易に調整することができる。したがて、椅子５２に座った聴取者が音楽等を聞く際に、オーケストラ曲やボーカル曲など、曲に応じた平面上の奥行き感や拡がり感を正確に表現することができる。
【００１８】
台板３０は、フロントスピーカー１０からメリハリのある音を再生できるように硬質材料からなることが好ましく、硬質プラスチック以外に、例えば、硬質ゴム、バーチ材等の硬質木材、マグネシウムやマグネシウム合金等の硬質金属材料、御影石や花崗岩等の石材を挙げることができる。但し、フロントスピーカー１０の筐体等から発生する振動を吸収できるように、軟質ゴム、鉛、アルミニウムなどの軟質材料を使用することもできる。あるいは、台板３０を上記のような硬質材料からなる平板状部材により形成し、溝部３１ａ，３１ｂ；３２ａ，３２ｂの底面に、上記のような軟質材料からなるインシュレータを配置することもできる。
【００１９】
台板３０は、本実施形態では、左右方向および前後方向にあらかじめ多数連結しているが、フロントスピーカー１０を搭載した移動体２０の下方に１つの台板３０のみを残しておき、フロントスピーカー１０の移動時に、新たな台板３０を移動方向に連結するようにしてもよい。また、本実施形態では第１のガイド部３１および第２のガイド部３２が互いに直交しているが、台板３０の連結方向に沿って移動できるように互いに交差するものであればよく、台板３０の形状に合わせて適宜形成することができる。台板３０は、必ずしも複数を連結して使用する必要はなく、単一のものに必要な搬送路を形成するようにしてもよい。
【００２０】
移動体２０は、本実施形態ではキャスター２２を備えることにより、第１のガイド部３１または第２のガイド部３２に沿った移動を容易にすると共に、移動体２０と台板３０との接触面積を低減して、フロントスピーカー１０から台板３０への不要な振動伝達を抑制することができる。キャスター２２は、フロントスピーカー１０の下面に直接固定してもよい。但し、移動体２０の構成はキャスター２２を備えるものに限定されず、例えば、台板３０との摩擦抵抗を低減して滑動可能に構成することもできる。
【００２１】
また、移動体２０は、図５に示すように、支持板２１の上面にベアリング（図示せず）を介して回転板２４を回転自在に設け、回転板２４の上面にフロントスピーカー１０を搭載するように構成してもよい。この構成によれば、移動体２０を台板３０の所望の位置まで移動させた後、スピーカー１０を回転板２４と共に回転させることで、スピーカー１０の位置に拘わらずスピーカー１０の前面を聴取者に向けることが容易になる。回転板２４は、支持板２１に対して任意の回転位置で固定できるように、ロック機構を備えることが好ましい。
【符号の説明】
【００２２】
１  スピーカー支持装置
１０  フロントスピーカー（スピーカー本体）
２０  移動体（移動手段）
２２  キャスター
３０  台板
３１  第１のガイド部
３１ａ，３１ｂ  溝部
３２  第２のガイド部
３２ａ，３２ｂ  溝部
【図１】
0005969520.tif 000002
【図２】
0005969520.tif 000003
【図３】
0005969520.tif 000004
【図４】
0005969520.tif 000005
【図５】
0005969520.tif 000006